(57)【要約】【課題】  印刷解像度に応じて適切な印刷スループットを出しつつ、通信負荷が高くならない印刷装置を提供する。【解決手段】  印刷解像度を認識し、認識された印刷解像度に応じて、印刷装置と通信するインターフェースを切り換える。【選択図】  図１
2006110789.tif 000002
【特許請求の範囲】
【請求項１】
ホスト・コンピュータとプリンタから構成される印刷装置において、ホスト・コンピュータとプリンタ間を複数のインターフェースにて接続されている時、予めインターフェース毎の通信速度を測定しておいて、印刷時に選択されたインターフェースのデータ通信速度に応じて、プリンタの解像度を決定することを特徴とする印刷装置。
【請求項２】
請求項１において、ＩＥＥＥ１３９４インターフェースが選択された場合のデータ通信速度の測定は、ＩＥＥＥ１３９４のツリー構造が変更される度に発生するバスリセットが起きたとき、ホスト・コンピュータとプリンタの間のＩＥＥＥ１３９４のデータ通信速度を測定し直す。
【請求項３】
請求項１において、ＩＥＥＥ１３９４インターフェースが選択された場合の解像度の選択は、ホスト・コンピュータとプリンタの間に設定されている通信速度の種類（１００Ｍｂｐｓ，２００Ｍｂｐｓ，４００Ｍｂｐｓ，１Ｇｂｐｓ…等）により解像度を自動選択する。
【請求項４】
請求項１において、ＵＳＢインターフェースが選択された場合のデータ通信速度の測定は、ＵＳＢのトポロジーが変更される度に、ホスト・コンピュータとプリンタの間のＵＳＢのデータ通信速度を測定し直す。
【請求項５】
請求項１において、ＵＳＢインターフェースが選択された場合の解像度の選択は、ホスト・コンピュータとプリンタの間に設定されている通信速度の種類（Ｖｅｒｌ．１ｏｒＶｅｒ２．０）により解像度を自動選択する。
【請求項６】
ホスト・コンピュータとプリンタから構成される印刷装置において、ホスト・コンピュータとプリンタ間の複数のインターフェースにて接続されている時、予めインターフェース毎の通信速度の測定を行い、プリンタの解像度に必要なデータ通信速度から、各インターフェースで印刷可能な解像度を設定する手段を設ける事により、選択された解像度から、解像度に応じたインターフェースを自動的に選択する事を特徴とする印刷装置。
【請求項７】
請求項２において、ＩＥＥＥ１３９４インターフェースが選択された場合のデータ通信速度の測定は、ＩＥＥＥ１３９４のツリー構造が変更される度に発生するバスリセットが起きたとき、ホスト・コンピュータとプリンタの間のＩＥＥＥ１３９４のデータ通信速度を測定し直す。
【請求項８】
請求項２において、ＵＳＢインターフェースが選択された場合のデータ通信速度の測定は、ＵＳＢのトポロジーが変更される度に、ホスト・コンピュータとプリンタの間のＵＳＢのデータ通信速度を測定し直す。
【発明の詳細な説明】
【技術分野】
【０００１】
本発明は、ホスト・コンピュータとプリンタから構成される印刷装置において、ホスト・コンピュータとプリンタの間に、複数のインターフェースで両者を接続した印刷装置に関する。
【背景技術】
【０００２】
従来、選択された解像度を元に印刷に必要なデータ通信速度を割り出す事で、ホスト・コンピュータとプリンタ間のインターフェースを自動選択する事は行っていなかった。また、選択されたインターフェースにより、プリンタへ送る印刷データの解像度の自動選択を行う事も行っていなかった。
【特許文献１】特開平０５−０２７９２５号公報
【発明の開示】
【発明が解決しようとする課題】
【０００３】
複数のインターフェースでホスト・コンピュータとプリンタが接続されている時、ユーザが、そのときのインターフェースの使用状況により、選択して使用するとき次のような欠点があった。
【０００４】
従来の印刷装置では、インターフェースのデータ通信速度に応じて解像度を上げ下げする事はできなかった為、解像度が高く印刷データ量が大きい場合に、データの転送が間に合わなくなり印刷が出来ない事があった。
【０００５】
また、選択された解像度により、インターフェースを自動選択する事はできなかった為、解像度が高く印刷データ量が大きいものを印刷する時に、比較的データ通信速度の遅いインターフェースが選択されている場合に、データの転送が間に合わなくなり印刷が出来ない事があった。
【課題を解決するための手段】
【０００６】
本発明の装置に次の機能を設ける。
【０００７】
・プリンタの解像度情報等をホスト・コンピュータに送る機能を設ける。
【０００８】
・ホスト・コンピュータ側に各インターフェースの通信速度を求める手段を設ける。
【０００９】
・選択されたインターフェースの通信速度により、解像度を自動選択する機能を設ける。
・選択された解像度により、ホスト・コンピュータとプリンタの間で使用するインターフェースを自動選択する。
【００１０】
以上の手段を設ける事により、問題点を解決したものである。
【発明の効果】
【００１１】
以上、説明してきたように本発明によれば、次のような効果がある。
【００１２】
・ホスト・コンピュータからプリンタヘのデータ転送が間に合わずに印刷が出来ないと言う事が無くなる。
【００１３】
・インターフェースのデータ通信速度で可能な限り高い解像度で印刷することができるようになる。
【００１４】
・ＵＳＢ，ＩＥＥＥ１３９４、イーサネット（登録商標）等の他の機器が接続されるようなインターフェースの場合でも、そのインターフェースの使用状況により、比較的空いているインターフェースを選択する事ができ、かつその選んだインターフェースで印刷できる最大の解像度で印刷を行う事ができる。
【発明を実施するための最良の形態】
【００１５】
本実施例の構成を説明する前に、本実施例を適用するに好適なレーザービームプリンタおよびインクジェットプリンタの構成について図１〜図３を参照しながら説明する。なお、本実施例を適用するプリンタは、レーザービームプリンタおよびインクジェットプリンタに限られるものではなく、他のプリンタ方式のプリンタでも良いことは言うまでもない。
【００１６】
図１は本発明を適用可能な第１の出力装置の構成を示す断面図であり、たとえば、レーザービームプリンタ（ＬＢＰ）の場合を示す。
【００１７】
図において、１５００はＬＢＰ本体であり、外部に接続されているホスト・コンピュータから供給される印刷情報（文字コード等）やフォーム情報あるいはマクロ命令等を入力して記憶するとともに、それらの情報にしたがって対応する文字パターンやフォームパータン等を作成し、記録媒体である記録紙等に像を形成する。１５０１は操作のためのスイッチ及びＬＥＤ表示器等が配されている操作パネル、１０００はＬＢＰ本体１５００全体の制御及びホスト・コンピュータから供給される文字情報を解析するプリンタ制御ユニットである。このプリンタ制御ユニット１０００は、主に文字情報を対応する文字パターンのビデオ信号に変換してレーザ・ドライバ１５０２に出力する。レーザ・ドライバ１５０２は半導体レーザ１５０３を駆動するための回路であり、入力されたビデオ信号に応じて半導体レーザ１５０３から発射されるレーザ光１５０４をオン・オフ切り換えをする。レーザ光１５０４は回転多面鏡１５０５で左右方向に振らされて静電ドラム１５０６上を走査露光する。これにより、静電ドラム１５０６上には文字パターン静電潜像が形成される事になる。この潜像は、静電ドラム１５０６周囲に配設された現像ユニット１５０７により現像された後、記録紙に転写される。この記録紙にはカットシートを用い、カットシート記録紙はＬＢＰ１５００に装着した用紙カセット１５０８に収納され、給紙ローラ１５０９および搬送ローラ１５１０と搬送ローラ１５１１とにより、装置内に取り込まれて、静電ドラム１５０６に供給される。また、ＬＢＰ本体１５００には、図示しないカードスロットを少なくとも１個以上備え、内蔵フォントに加えてオプションフォントカード、言語系の異なる制御カード（エミュレーションカード）を接続できるように構成されている。
【００１８】
図２は本発明を適用可能な第２の出力装置の構成を示す外観図であり、例えばインクジェット記録装置（ＩＪＲＡ）の場合を示す。
【００１９】
図において、駆動モータ５０１３の正逆回転に連動して駆動力伝達ギア５０１１、５００９を介して回転するリード・スクリュー５００５の螺旋溝５００４に対して係合するキャリッジＨＣはピン（図示しない）を有し、矢印ａ，ｂ方向に往復移動される。このキャリッジＨＣには、インクジェットカートリッジＩＪＣが搭載されている。５００２は紙押さえ板であり、キャリッジ移動方向にわたって紙をプラテン５０００に対して押圧する。５００７、５００８はフォトカプラで、キャリッジのレバー５００６のこの域での存在を確認して、モータ５０１３の回転方向切り換え等を行なうためのホームポジション検知手段として機能する。５０１６は記録ヘッドの全面をキャップするキャップ部材５０２２を支持する部材、５０１５はこのキャップ内を吸引する吸引手段でキャップ内開口５０２３を介して記録ヘッドの吸引回復を行なう。５０１７はクリーニングブレードで、部材５０１９により前後方向に移動可能となる。５０１８は本体支持板で、上記５０１７、５０１９を支持する。５０１２は、吸引回復の吸引を開始するためのレバーで、キャリッジと係合するカム５０２０の移動に伴って移動し、駆動モータから駆動力がクラッチ切り換え等の公知の伝達手段で移動制御される。
【００２０】
これらのキャピング、クリーニング、吸収回復は、キャリッジがホームポジション側領域にきたときにリード・スクリュー５００５の作用によってそれらの対応位置で所望の処理が行なえるように構成されているが、周知のタイミングで所望動作を行なうように構成されていればよい。
【００２１】
図３は、図２に示した第２の出力装置の制御構成を説明するブロック図である。図において、１７００は記録信号を入力するインターフェース、１７０１はＭＰＵ，１７０２は前記ＭＰＵ１７０１が実行する制御プログラムやホスト印刷情報等を格納するＲＯＭ、１７０３はＤＲＡＭで、各種データ（上記記録信号やヘッドに供給される記録データ等）を保存しておく。１７０４は記録ヘッド１７０８に対する出力データの供給制御を行なうゲートアレイで、インターフェース１７００、ＭＰＵ１７０１、ＤＲＡＭ１７０３間のデータの転送制御も行なう。
【００２２】
１７１０は前記記録ヘッド１７０８を搬送するためのキャリアモータ、１７０９は記録用紙搬送のための搬送モータ、１７０５は前記記録ヘッドを駆動するヘッドドライバ、１７０６は前記搬送モータ１７０９を駆動するモータドライバ、１７０７は前記キャリアモータ１７１０を駆動するモータドライバである。
【００２３】
このように構成された上記記録装置において、インターフェース１７００を介して後述するホスト・コンピュータ１００より入力情報が入力されると、ゲートアレイ１７０４とＭＰＵ１７０１との間で入力情報がプリント用の出力情報に変換される。そして、モータドライバ１７０６、１７０７が駆動されるとともに、ヘッドドライバ１７０５に送られた出力情報に従って記録ヘッドが駆動され印字が実行される。
【００２４】
（第１実施例）
第１の実施例は、ホスト・コンピュータとプリンタから構成される印刷装置において、ホスト・コンピュータとプリンタ間を複数のインターフェースにて接続されている時、予めインターフェース毎の通信速度を測定しておき、印刷時に選択されたインターフェースのデータ通信速度に応じて、プリンタへ送る印刷データの解像度を決定することにより、選択されたインターフェースの通信速度に応じた解像度を選択する事ができるので、データの転送が間に合わずに印刷が出来ないと言う事が無くなるばかりか、そのインターフェースの通信速度で可能な限り高い解像度で印刷することができる。
【００２５】
図４は、第１実施例のコンピュータとプリンタで構成された印刷装置のシステムのブロック図である。
【００２６】
１はホスト・コンピュータのＣＰＵでありプリント・データを作成しプリンタへデータ転送を行う。
【００２７】
２はプリント・データなどのデータやプログラムを記憶するＲＡＭ。
【００２８】
３はプログラム等を格納するＲＯＭ。
【００２９】
４はシステムバス。
【００３０】
５はキーボード・コントローラ。
【００３１】
６はＣＲＴコントローラ。
【００３２】
７はメモリコントローラ。
【００３３】
８はコンピュータとプリンタを接続するためのセントロニクス・インターフェース。
【００３４】
９はキーボード。
【００３５】
１０はＣＲＴ。
【００３６】
１１はＵＳＢインターフェース。
【００３７】
１２はコンピュータの本体。
【００３８】
１３はホスト・コンピュータ。
【００３９】
２１はセントロケーブル。
【００４０】
２２はＵＳＢケーブル。
【００４１】
プリンタ７０の内部のブロックは、４０はホスト・コンピュータとプリンタとのインターフェースであるコントローラ。
【００４２】
４１はコントローラから渡されたデータに従って、印刷を行なう印刷部であるプリンタ・エンジンとコントローラを接続する為の接続部である。
【００４３】
６２はコントローラから渡されたデータに従って、印刷を行なう印字部であるプリンタ・エンジン。
【００４４】
コントローラ４０内部のブロックは、
３１はホスト・コンピュータからのコマンドを解析及び、ホスト・コンピュータからの印刷データの制御を行うＣＰＵ。
【００４５】
３３はホスト・コンピュータとプリンタを接続するためのＵＳＢインターフェース。
【００４６】
３４はコントローラを制御するプログラム等が格納されているＲＯＭ。
【００４７】
３５はシステム・バス。
【００４８】
３６はホスト・コンピュータとプリンタを接続するためのセントロニクス・インターフェース。
【００４９】
３７はコントローラとプリンタ・エンジンとのインターフェースであるビデオ・インターフェース。
【００５０】
３９はＤＲＡＭで、ホストから送られて来たイメージ・データを格納するメモリ。
【００５１】
プリンタ・エンジン６２内部のブロックは、
５１はメイン・モータ、スキャナ・モータ、定着用ヒータなどの制御を行なう為のＣＰＵ。
【００５２】
５２はコントローラとプリンタ・エンジンとのインターフェースであるビデオ・インターフェースであり、印刷するイメージ・データを受け取る為のビデオ・インターフェースである。
【００５３】
５３はデータ等を格納するＲＡＭ。
【００５４】
５４はプリンタ・エンジンを制御するプログラムが格納されているＲＯＭ。
【００５５】
５５はシステム・バス。
【００５６】
５６はメイン・モータを制御するメイン・モータ・コントローラ。
【００５７】
５７はレーザ光を主走査方向に走査する制御を行なうスキャナ・モータ・コントローラ。
【００５８】
５８は定着用ヒータの温度等を制御する定着用ヒータ・コントローラ。
【００５９】
５９はメイン・モータ。
【００６０】
６０はスキャナ・モータ。
【００６１】
６１は定着用ヒータ。
【００６２】
６３はレーザ・ドライバ。
【００６３】
６４は半導体レーザである。
【００６４】
図５は、第１実施例の図４のホスト・コンピュータ内部のＣＰＵ１のフローチャートである。
【００６５】
Ｓ１１は、プリンタの解像度、印刷速度（ｐｐｍ）等の情報を読み込む。
【００６６】
Ｓ１２は、ホスト・コンピュータとプリンタ間に接続されたＵＳＢインターフェースの通信速度を測定するために、テストデータをプリンタに送る。
【００６７】
Ｓ１３は、Ｓ１２で送ったテストデータより、通信速度をプリンタ側で測定した結果をプリンタから読み込む。
【００６８】
Ｓ１４は、ホスト・コンピュータとプリンタ間に接続されたセントロ・インターフェースの通信速度を測定するために、テストデータをプリンタに送る。
【００６９】
Ｓ１５は、Ｓ１４で送ったテストデータより、通信速度をプリンタ側で測定した結果をプリンタから読み込む。
【００７０】
Ｓ１６は、Ｓ１３、Ｓ１５で入手した各インターフェースのデータ通信速度で、印刷可能な最大解像度を求め、Ｓ１１で入手したプリンタの情報より各インターフェース毎に印刷可能な解像度を決める。
【００７１】
解像度の決定方法：
ホストベースのプリンタの場合、イメージ・データをホスト・コンピュータで圧縮してからプリンタへ送る。この場合６００×６００ｄｐｉ（主走査方向×副走査方向）の解像度では圧縮が全くかからない印刷データの場合は４ＭＢとなる。また、１２００×１２００ｄｐｉの場合は同様に１６ＭＢとなる。
【００７２】
また、プリンタの印刷速度（ｐｐｍ）が４枚／分であれば、６００×６００ｄｐｉの解像度の時に１分間に１６ＭＢ以上（２６７ＫＢ／Ｓ）のデータ通信速度が必要である。１２００×１２００ｄｐｉの解像度の時に１分間に６４ＭＢ以上（１．０７ＭＢ／Ｓ）のデータ通信速度が必要である。
【００７３】
セントロとＵＳＢの通信速度の測定結果が、例えばセントロ＝４００ＫＢ／Ｓ、ＵＳＢ＝１１００ＫＢ／Ｓであったとすると、各インターフェースの解像度の割り当ては、セントロが６００×６００ｄｐｉでＵＳＢが１２００×１２００ｄｐｉと言う事になる。
【００７４】
Ｓ１７は、印刷の前にユーザが選択したインターフェースを判定する。
【００７５】
Ｓ１８は、セントロ・インターフェースが選択されたので、解像度を６００×６００ｄｐｉに設定する。
【００７６】
Ｓ１９は、解像度を６００×６００ｄｐｉとして印刷データを作成する。
【００７７】
Ｓ２０は、セントロ・インターフェースにて印刷データをプリンタへ送る。
【００７８】
Ｓ２１は、ＵＳＢインターフェースが選択されたので、解像度を１２００×１２００ｄｐｉに設定する。
【００７９】
Ｓ２２は、解像度を１２００×１２００ｄｐｉとして印刷データを作成する。
【００８０】
Ｓ２３は、ＵＳＢインターフェースにて印刷データをプリンタへ送る。
【００８１】
図６は、実施例の図４のプリンタ内部のＣＰＵ３１のフローチャートである。
【００８２】
Ｓ２１は、印刷コマンド（Ａ）、データ通信速度測定コマンド（Ｂ）かプリンタ情報要求コマンド（Ｃ）か調べる。Ａ，Ｂ，Ｃへ分岐。
【００８３】
Ｓ２２は、ＵＳＢインターフェースあるいは、セントロ・インターフェースのどちらを使用しているか調べる。
【００８４】
Ｓ２３は、ホスト・コンピュータからのテストデータをＵＳＢインターフェースにて受信する。
【００８５】
Ｓ２４は、Ｓ２３で受信したデータの通信速度を計算する。
【００８６】
Ｓ２５は、ホスト・コンピュータへ、Ｓ２４で計算したデータ通信速度を送る。
【００８７】
Ｓ２６は、ホスト・コンピュータからのテストデータをセントロ・インターフェースにて受信する。
【００８８】
Ｓ２７は、Ｓ２６で受信したデータの通信速度を計算する。
【００８９】
Ｓ２８は、ホスト・コンピュータへ、Ｓ２７で計算したデータ通信速度を送る。
【００９０】
Ｓ２９は、プリンタ情報要求コマンドが選択されたので、プリンタの解像度、印刷速度（ｐｐｍ）等の情報をホスト・コンピュータへ送る。
【００９１】
上記のように、予め各インターフェースで印刷可能な最大の解像度を決めておき、印刷時に選択されたインターフェースにより印刷する解像度を決定する手段を設けることにより、データの転送が間に合わないために印刷ができないと言う事が無くなる。
【００９２】
（第２実施例）
第２の実施例は、ホスト・コンピュータとプリンタから構成される印刷装置において、ホスト・コンピュータとプリンタ間の複数のインターフェースにて接続されている時、予めインターフェース毎の通信速度の測定を行い、プリンタの解像度に必要なデータ通信速度から、各インターフェースで印刷可能な解像度を設定する手段を設ける事により、選択された解像度から、解像度に応じたインターフェースを自動的に選択することで、印刷データの転送が間に合わずに印刷が出来ないと言う事を無くすことができる。
【００９３】
図４は、第２実施例のコンピュータとプリンタで構成された印刷装置のシステムのブロック図である。説明は、第１実施例と同様なので省略する。
【００９４】
図７は、第２実施例の図４のコンピュータ内部のＣＰＵ１のフローチャートである。
【００９５】
Ｓ３１は、プリンタの解像度、印刷速度（ｐｐｍ）等の情報を読み込む。
【００９６】
Ｓ３２は、ホスト・コンピュータとプリンタ間に接続されたＵＳＢインターフェースの通信速度を測定するために、テストデータをプリンタに送る。
【００９７】
Ｓ３３は、Ｓ３２で送ったテストデータより、通信速度をプリンタ側で測定した結果をプリンタから読み込む。
【００９８】
Ｓ３４は、ホスト・コンピュータとプリンタ間に接続されたセントロ・インターフェースの通信速度を測定するために、テストデータをプリンタに送る。
【００９９】
Ｓ３５は、Ｓ３４で送ったテストデータより、通信速度をプリンタ側で測定した結果をプリンタから読み込む。
【０１００】
Ｓ３６は、Ｓ３３、Ｓ３５で入手した各インターフェースのデータ通信速度で、印刷可能な最大解像度を求め、Ｓ３１で入手したプリンタの情報より各インターフェース毎に印刷可能な解像度を決める。
【０１０１】
インターフェースの決定方法：
ホストベースのプリンタの場合、イメージ・データをホスト・コンピュータで圧縮してからプリンタへ送る。この場合６００×６００ｄｐｉ（主走査方向×副走査方向）の解像度では圧縮が全くかからない印刷データの場合は４ＭＢとなる、また、１２００×１２００ｄｐｉの場合は同様に１６ＭＢとなる。
【０１０２】
また、プリンタの印刷速度（ｐｐｍ）が４枚／分であれば、６００×６００ｄｐｉの解像度の時に１分間に１６ＭＢ以上（２６７ＫＢ／Ｓ）のデータ通信速度が必要である。１２００×１２００ｄｐｉの解像度の時に１分間に６４ＭＢ以上（１．０７ＭＢ／Ｓ）のデータ通信速度が必要である。
【０１０３】
セントロとＵＳＢの通信速度の測定結果が、例えばセントロ＝４００ＫＢ／Ｓ、ＵＳＢ＝１１００ＫＢ／Ｓであったとすると、各インターフェースの解像度の割り当ては、セントロが６００×６００ｄｐｉでＵＳＢが１２００×１２００ｄｐｉと言う事になる。
【０１０４】
Ｓ３７は、印刷の前にユーザが選択した解像度を判定する。
【０１０５】
Ｓ３８は、６００×６００ｄｐｉの解像度が選択されたので、セントロ・インターフェースに設定する。
【０１０６】
Ｓ３９は、解像度を６００×６００ｄｐｉとして印刷データを作成する。
【０１０７】
Ｓ４０は、セントロ・インターフェースにて印刷データをプリンタへ送る。
【０１０８】
Ｓ４１は、１２００×１２００ｄｐｉの解像度が選択されたので、ＵＳＢインターフェースに設定する。
【０１０９】
Ｓ４２は、解像度を１２００×１２００ｄｐｉとして印刷データを作成する。
【０１１０】
Ｓ４３は、ＵＳＢインターフェースにて印刷データをプリンタへ送る。
【０１１１】
図６は、第２実施例のプリンタ内部のコントローラ内部のＣＰＵ３１のフローチャートであるが、第１実施例と同じなので省略する。
【０１１２】
上記のように、予め各インターフェースで印刷可能な最大の解像度を決めておき、印刷時に選択された解像度により印刷データを転送するインターフェースを決定する手段を設けることにより、データの転送が間に合わないために印刷ができないと言う事が無くなる。
【図面の簡単な説明】
【０１１３】
【図１】本発明を適用可能な第１の出力装置の構成を示す断面図である。
【図２】本発明を適用可能な第２の出力装置の構成を示す断面図である。
【図３】図２に示した第２の出力装置の制御構成を説明するブロック図である。
【図４】第１実施例のコンピュータとプリンタで構成された印刷装置のシステムのブロック図である。
【図５】第１実施例のホスト・コンピュータのフローチャートである。
【図６】第１実施例のプリンタ内部のコントローラ内部のＣＰＵのフローチャートである。
【図７】第２実施例のホスト・コンピュータのフローチャートである。
【符号の説明】
【０１１４】
１  ＣＰＵ
２  ＲＡＭ
３  ＲＯＭ
４  システム・バス
５  キーボード・コントローラ
６  ＣＲＴコントローラ
７  メモリコントローラ
８  セントロ・インターフェース
９  キーボード
１０  ＣＲＴ
１１  ＵＳＢインターフェース
１２  ホスト・コンピュータ本体
１３  ホスト・コンピュータ
２１  プリンタケーブル
２２  ＵＳＢケーブル
３１  ＣＰＵ
３３  ＵＳＢインターフェース
３４  ＲＯＭ
３５  システム・バス
３６  セントロ・インターフェース
３７  ビデオ・インターフェース
３９  ＲＡＭ
４０  コントローラ部
４１  ビデオ・インターフェース・バス
５１  ＣＰＵ
５２  ビデオ・インターフェース
５３  ＲＡＭ
５４  ＲＯＭ
５５  システム・バス
５６  メイン・モータ・コントローラ
５７  スキャナ・モータ・コントローラ
５８  定着用ヒータ・コントローラ
５９  メイン・モータ
６０  スキャナ・モータ
６１  定着用ヒータ
６２  プリンタ・エンジン部
６３  レーザ・ドライバ
６４  半導体レーザ
７０  プリンタ
１５００  ＬＢＰ本体
１５０１  操作のためのスイッチ及びＬＥＤ
１５０２  レーザ・ドライバ
１５０３  半導体レーザ
１５０４  レーザ光
１５０５  回転多面鏡
１５０６  静電ドラム
１５０７  現像ユニット
１５０８  用紙カセット
１５０９  給紙ローラ
１５１０  搬送ローラ
１５１１  搬送ローラ
１７００  インターフェース
１７０１  ＭＰＵ
１７０２  ＲＯＭ
１７０３  ＤＲＡＭ
１７０４  Ｇ．Ａ
１７０５  ヘッドドライバ
１７０６  モータドライバ
１７０７  モータドライバ
１７０８  記録ヘッド
１７０９  搬送モータ
１７１０  キャリアモータ
５０００  プラテン
５００２  紙押さえ板
５００４  螺旋溝
５００５  リード・スクリュー
５００６  キャリッジのレバー
５００７  フォト・インタラプタ
５００８  フォト・インタラプタ
５００９  駆動力伝達ギア
５０１０  駆動力伝達ギア
５０１１  駆動力伝達ギア
５０１３  モータ
５０１５  記録ヘッドの吸引を行なう
５０１６  キャップ部材を指示する部材
５０１７  クリーニング・ブレード
５０１８  本体支持板
５０１９  部材
５０２０  カム
５０２２  キャップ部材
５０２３  キャップ内開口
【図１】
2006110789.tif 000003
【図２】
2006110789.tif 000004
【図３】
2006110789.tif 000005
【図４】
2006110789.tif 000006
【図５】
2006110789.tif 000007
【図６】
2006110789.tif 000008
【図７】
2006110789.tif 000009